(57)【要約】  エレベータ耐荷重部材（３０）内の少なくとも１つの引張り部材（３２）と導電性接続を行うコネクタ装置（４０）は、該耐荷重部材（３０）の個々の部分（３８）の間に物理的な空間を設けるスペーサ部材（４２）を備える。一実施例においては、各部分（３８）は、１つの引張り部材（３２）を備える。保持部材（５０）によって、該部分（３８）が、コネクタ装置（４０）に対する選択した位置に固定される。少なくとも１つの導電性コネクタ部材（７０）が、耐荷重部材（３０）の状態にアクセスする選択した電気式の監視技術を容易にするために、少なくとも１つの引張り部材（３２）と導電性接触を行う。
2007529393.tif 000002
【特許請求の範囲】
【請求項１】
エレベータ装置に用いられる耐荷重部材内の少なくとも１つの引張り部材と電気的接触を行う装置であって、
上記引張り部材の部分の間に物理的な空間を設けるスペーサ部材と、
上記スペーサ部材に対する選択した位置に上記引張り部材の一部分を保持する保持部材と、
少なくとも１つの上記スペーサ部材もしくは上記保持部材によって支持され、少なくとも１つの上記引張り部材と導電性接触を行うように構成された少なくとも１つの電気コネクタ部材と、を備えることを特徴とする装置。
【請求項２】
上記スペーサ部材は、本体を有し、この本体が、該本体の第１の側面に第１の引張り部材を受け、また該本体の対向する第２の側面に第２の引張り部材を受けることを特徴とする請求項１に記載の装置。
【請求項３】
上記スペーサ部材は、上記本体の側面の少なくとも一方に少なくとも１つのボスを有し、このボスが、該ボスの一方の側に１つの引張り部材を受け、また該ボスの他方の側に別の引張り部材を受けることを特徴とする請求項２に記載の装置。
【請求項４】
上記本体の第１の側面及び第２の側面の各々に対応した保持部材を備えることを特徴とする請求項２に記載の装置。
【請求項５】
各々の保持部材は、上記本体に移動可能に取り付けられるとともに、上記引張り部材の一部分を選択した位置に保持するように該保持部材を所定位置に固定するラッチを備えることを特徴とする請求項４に記載の装置。
【請求項６】
少なくとも１つのボスを備え、このボスが、該ボスの一方の側に１つの引張り部材を受け、該ボスの他方の側に別の引張り部材を受けることを特徴とする請求項１に記載の装置。
【請求項７】
上記スペーサ部材は、本体を有し、全ての上記引張り部材を上記本体の一方の側で受けることを特徴とする請求項６に記載の装置。
【請求項８】
上記電気コネクタは、導電性接触を行うために、上記引張り部材を内包している被覆を少なくとも部分的に貫通するように構成された係合面を有することを特徴とする請求項１に記載の装置。
【請求項９】
上記引張り部材の一部分が、上記スペーサ部材と上記保持部材との間に配置されたときに、上記電気コネクタは、該電気コネクタが上記引張り部材の先端部と接触するように、該装置に対して配向されることを特徴とする請求項１に記載の装置。
【請求項１０】
上記スペーサ部材は、該スペーサ部材を上記引張り部材の一部分の間に動かすことを容易にする傾斜面を有することを特徴とする請求項１に記載の装置。
【請求項１１】
少なくとも１つの上記保持部材もしくは上記スペーサ部材は、上記引張り部材の部分の少なくとも一つを上記コネクタ部材に対する所望の位置に中心合わせすることを容易にするガイド面を備えることを特徴とする請求項１に記載の装置。
【請求項１２】
複数のコネクタ部材を備えることを特徴とする請求項１に記載の装置。
【請求項１３】
エレベータ装置に用いられる耐荷重部材内の少なくとも１つの引張り部材と導電性接触を行う方法であって、
上記耐荷重部材の選択した長さを、引張り部材をそれぞれ有する個々の部分に分離し、
分離した上記部分の間にスペーサを挿入し、
導電性コネクタ部材を少なくとも１つの上記引張り部材に固定することを特徴とする方法。
【請求項１４】
上記耐荷重部材は、上記引張り部材を内包する被覆を有するとともに、該方法は、上記スペーサ部材を挿入する前に上記引張り部材に隣接する上記被覆を分離することを特徴とする請求項１３に記載の方法。
【請求項１５】
上記引張り部材の上記部分の長さとほぼ平行な長手方向に上記被覆を切断することを特徴とする請求項１４に記載の方法。
【請求項１６】
上記耐荷重部材は、上記引張り部材を内包する非導電性被覆を有するとともに、該方法は、上記導電性コネクタ部材の少なくとも一部を、上記非導電性被覆を通して少なくとも１つの上記引張り部材と強制的に接触させることを特徴とする請求項１３に記載の方法。
【請求項１７】
少なくとも上記コネクタ部材の終端部を上記引張り部材に強制的に挿入することを特徴とする請求項１６に記載の装置。
【請求項１８】
上記スペーサ部材に対する選択した位置にベルトの一部分を固定するために、保持部材を上記スペーサ部材に結合させることを特徴とする請求項１３に記載の方法。
【請求項１９】
上記耐荷重部材の分離した部分を上記スペーサ部材の一方の側に配置することを特徴とする請求項１３に記載の方法。
【請求項２０】
上記耐荷重部材の上記部分の少なくとも一つを上記スペーサ部材の一方の側に配置し、上記部分の少なくとも別の一つを上記スペーサ部材の他方の側に配置することを特徴とする請求項１３に記載の方法。
【発明の詳細な説明】
【技術分野】
【０００１】
本発明は、一般的にエレベータ耐荷重部材における少なくとも１つの引張り部材と導電性接続を行う電気コネクタに関する。
【背景技術】
【０００２】
通常、エレベータ装置は、かご及びカウンタウェイトの重量を支持し、かつこのかごを昇降路内で要求どおりに動かすロープやベルトなどの耐荷重部材を備える。長年にわたり、鋼製のロープが用いられてきた。最近では、複数の引張り部材をジャケットに内包した被覆スチールベルトが導入されている。一実施例においては、引張り部材は、鋼製のコードであり、またジャケットは、ポリウレタン材料からなる。
【発明の開示】
【発明が解決しようとする課題】
【０００３】
新しいベルト構成は、エレベータ装置の寿命にわたってベルトアセンブリの耐荷重能力を監視するという新しい課題を提供している。
【０００４】
現代のエレベータベルトを監視する種々の方法が編み出されてきた。本発明は、電気式の監視技術を用いることができるように、少なくとも１つの引張り部材との導電性接続を簡単かつ正確に行う能力を提供する。
【課題を解決するための手段】
【０００５】
広く言えば、本発明は、エレベータ耐荷重部材における少なくとも１つの引張り部材と電気接続を行う装置である。
【０００６】
一実施例の装置は、耐荷重部材内の引張り部材の間に物理的な空間を設けるスペーサ部材を備える。保持部材によって、引張り部材の一部分が、スペーサ部材に対する選択した位置に保持される。少なくとも１つの電気コネクタ部材が、スペーサ部材もしくは保持部材によって支持される。電気コネクタ部材が、少なくとも１つの引張り部材と導電性接触を行うように構成され、スペーサ部材の一方の側における隣接する引張り部材の間の空間を維持する。
【０００７】
電気接続を行う実施例の方法は、引張り部材を内包しているジャケットの一部分を、耐荷重部材の長さの一部分に沿って長手方向に分離することを含む。一実施例においては、ジャケット材料が切断される。ジャケットの一部分が分離されると、引張り部材を個々に内包している該ジャケットが、少なくとも１つの該引張り部材との電気接触を容易に行うために、該ジャケットを分離した部分の間に所望の物理的な空間を設けるように手で動かされる。
【０００８】
本発明における種々の特徴ならびに長所は、後述する実施例の詳細な説明から当業者に明らかになるであろう。
【発明を実施するための最良の形態】
【０００９】
図１は、エレベータ装置２０の選択した一部分を概略的に示している。かご２２は、カウンタウェイト２４とともに昇降路２６内を従来の方法で移動する。耐荷重部材３０が、かご２２及びカウンタウェイト２４の重量を支持し、また昇降路２６内のかご２２及びカウンタウェイト２４の所望の動作をもたらすように、巻上装置（図示せず）の少なくとも１つの駆動シーブと相互作用する。
【００１０】
図２は、被覆スチールベルトである一実施例の耐荷重部材３０の一部分を概略的に示している。図２の実施例は、説明のために示しており、また本発明は、ベルトや耐荷重部材の特定の形状に必ずしも限定されない。この実施例では、複数の引張り部材３２が、ベルト３０内で長手方向（即ち、図２に示される方向Ｌ）に延びている。一実施例においては、引張り部材３２の各々は、従来の方法で巻かれてコードとなった鋼製のストランドからなる。
【００１１】
引張り部材３２は、一実施例においてはポリウレタン材料からなるジャケット３４で覆われている。後述の理由により符号３６で概略的に示されるように、ベルト３０の選択した長さにおいて、該ベルト３０を複数の個々の部分３８に分割するために、長手方向に分離される。分離した各部分３８は、引張り部材３２の１つの対応する部分を備える。一実施例においては、これらの部分３８は、ジャケット３４の材料を切断することによって分離される。一実施例においては、これは、ベルト３０がエレベータ装置２０での使用中の状態において、手動の切断工具を用いて得られる。無論、選択した長さのベルト３０を個々の部分３８に分離する他の方法も、本発明の範囲内であるとともに、分離という用語は、破断、分割、切断などを含むものと解釈される。
【００１２】
電気式の監視技術を用いてベルト３０の状態を監視することが望ましい状況においては、本発明により、ベルト３０の引張り部材３２との正確かつ安全な電気的接続を容易にするユニークな接続装置及び方法がもたらされる。
【００１３】
図３〜図６は、本発明に従って設計された一実施例のコネクタ装置４０を概略的に示している。スペーサ部材４２によって、予め分割されたベルト３０の個々の部分３８の間に物理的な空間が設けられる。この実施例では、スペーサ部材４２は、ベルト３０の個々の部分３８の間に収容される複数のボス４４を備える。この実施例では、スペーサ部材４２の終端部４６は、ベルト３０の選択した部分３８の間への該スペーサ部材４２の挿入を容易にする斜めに傾斜した面を備える。図示された実施例においては、スペーサ部材４２を選択した位置により円滑に挿入しやすくするために、終端部４６の傾斜面は丸くなっている。
【００１４】
この実施例では、スペーサ部材４２は、対向している側面４８、４９を具備する本体を有する。図面から理解できるように、スペーサ部材本体の対向する側面４８、４９が、交互になっている部分３８を受けている。この実施例では、ボス４４が、スペーサ部材本体の側面４８、４９の双方に設けられる。
【００１５】
また、コネクタ装置４０は、保持部材５０を備える。この実施例では、スペーサ部材４２の両側には、保持部材５０を受ける部分を有する。保持部材５０によって、スペーサ部材４２に対する選択した位置にベルト３０の個々の部分３８が保持される。特に、ベルト３０の部分３８Ａが、保持部材５０の第１の部分５２を受けており、スペーサ部材本体の側面４８が、該部分３８Ａを受けている。ベルト３０の部分３８Ｂは、第２の保持部分５４を受けており、スペーサ部材４２の側面４９は、該部分３８Ｂを受けている。
【００１６】
保持部材５０の部分５２、５４の各々は、この実施例では、プラスチック製のヒンジ５６によってスペーサ部材４２に接続される。保持部材５０の部分５２、５４は、ベルト３０の個々の部分３８をスペーサ部材４２に対して所望の向きに固定するために、図に示された位置に手で動かすことができる。この実施例では、ラッチ部材５８が、保持部材５０の部分５２、５４のそれぞれに備えられる。スペーサ部材４２は、係止面６０を有しており、該係止面６０は、コネクタ装置４０をベルト３０とともに所定の位置に固定するために、ラッチ部材５８のラッチ部分６２と協働する。無論、他の変更は、本発明の範囲内である。一実施例は、保持部材５０の部分５２、５４ならびにスペーサ部材４２を所定の位置に固定するねじ部材を備える。
【００１７】
図５から最もよく分かるように、スペーサ部材４２がベルト３０の個々の部分３８に対する所定の位置に挿入されると、クリップ部分５２、５４が、図５の矢印６４、６６の方向に従って、図示された固定位置に移動できる。図示された実施例は、傾斜したガイド面６８を備え、クリップ部分５２、５４が、図示された固定位置に動かされるときに、このガイド面６８によって、ベルト３０の個々の部分３８を該ガイド面６８の間の中心位置に移動させることが容易になる。ガイド面６８は、ベルト３０の個々の部分３８が導電性コネクタ部材７０と所望の配列になるような中心合わせを容易にする。この実施例の導電性コネクタ部材７０は、保持部材５０の一部分に支持される。
【００１８】
本発明に従って設計されたコネクタ装置４０の特筆すべき利点は、ベルト３０の引張り部材３２との所望の電気接続をより確実に行うことができる点である。ジャケット３４内の引張り部材３２の位置の変位は、ベルト３０の個々の部分３８を分割し、かつこれらの部分３８の間に物理的な空間を設けることによって吸収される。図５の実施例においては、適切な電気接続を確立するために、ガイド面６８が、さらに、導電性コネクタ部材７０と個々の引張り部材３２との正確な整列を容易にする。図示された実施例では、スペーサ部材４２が、各コネクタ部材７０と適切な引張り部材３２との間の誤接続を避けるために、十分な間隔を維持している。
【００１９】
一実施例においては、導電性コネクタ部材７０は、ジャケット材料３４を貫通して引張り部材３２と電気的接触を行う鋭角の端子を備える。また、一実施例においては、導電性コネクタ部材７０は、図６から最もよく分かるように、引張り部材３２の少なくとも一部分を貫通している。
【００２０】
保持部材５０のクリップ部分５２、５４を図示された位置に動かす過程の間に、該コネクタ部材７０をジャケット材料３４に強制的に通すことができる。或いは、保持部材５０を所定の位置に固定する前もしくは後に、該コネクタ部材７０を独立して導電位置に強制的に通すことができる。
【００２１】
図６に示されるように、実施例のコネクタ部材７０と導電性ワイヤ７２との間の接続は、ねじ式の接続部材７４を用いて行われる。このような接続は、コネクタ装置４０が、ベルト３０の個々の部分３８に対する所定の位置に固定される前もしくは後に行うことができる。導電性ワイヤ７２は、所望の監視手順に従って電力、信号、或いはこれら両方を引張り部材３２に伝達することを容易にする。
【００２２】
別の実施例が図７に示されており、導電性コネクタ部材７０が、保持部材５０ではなくスペーサ部材４２に支持されている。このような配置の１つの利点は、該コネクタ部材７０に結合した導電性リード７６を、例えば、コネクタ装置４０と他の電子機器との間の接続を容易にするために、電気コネクタとの接続を簡便にするように配置することができる点である。図７の実施例においては、結合リード７６の雄端部７８が、コネクタ装置４０と選択的に結合する接続ポート８２の雌コネクタ８０に選択的に収容される。コネクタ部材を配向し、かつ他の装置と電気的接続を行う種々の方法は、本発明の範囲内である。本明細書の利点を把握した当業者であれば、特定の状況に必要な最適な配置を選択することができよう。
【００２３】
別の実施例が、図８、図９に示される。この実施例では、図３の実施例と同様に、スペーサ部材４２の一方の側がベルト３０の部分３８Ａを受け、また該スペーサ部材４２の他方の側が該ベルト３０の部分３８Ｂを受けるように、スペーサ部材４２が、ベルト３０の個々の部分３８の間に収容される。この実施例と図３の実施例の違いは、導電性コネクタ部材７０’が、先の実施例で得られたように引張り部材３２と交差するのではなく、該引張り部材３２の端部に収容されている点である。図８、図９に示されるこのような配置の１つの利点は、導電性コネクタ部材７０’によるジャケット材料３４への貫通を必要としない点である。これにより、例えば、ベルト用に選択された材料に応じて、より簡単に優れた電気接続を行うことができる。さらに、導電性コネクタ部材７０’の姿勢により、例えば、図７に概略的に示しているように差込式の接続を行うことが容易になる。
【００２４】
別の実施例が、図１０、図１１に示される。この実施例では、コネクタ装置４０は、スペーサ部材４２を有しており、この部材４２は、該部材４２の本体の一方の側にベルト３０の個々の部分３８の全てを受ける。この実施例では、ボス４４’は、スペーサ部材４２をベルト３０の個々の部分３８に対する位置に挿入することを容易にする傾斜面を有する。ボス４４’により、これらの部分３８の間の所望の物理的な空間を維持することが容易になる。この実施例においては、スペーサ部材４２の一方の側のみが、保持部材５０を受ける。プラスチック製のヒンジ５６及びロック装置５８により、上述の実施例と同様にスペーサ部材４２に対して保持部材５０を固定することが容易になる。この実施例においては、ねじ式の接続部材７４’により、例えば、引張り部材３２に接触する導電性コネクタ部材と外部の電子機器との間の接続を行うことが容易になる。
【００２５】
上記の説明は、限定的ではなく例示的な性質のものである。当業者には、開示された実施例に対して本発明の趣旨から逸脱することなく加え得る種々の変更及び改良が明らかとなろう。本発明に与えられる法的保護の範囲は、請求範囲を検討することによって定められる。
【図面の簡単な説明】
【００２６】
【図１】エレベータ装置の選択した一部分を示す概略図。
【図２】本発明に従って設計された実施例のコネクタ装置を用いることが可能なエレベータベルトの選択した特徴部を示す概略図。
【図３】本発明に従って設計された一実施例のコネクタ装置の正面図。
【図４】図３の実施例の側面図。
【図５】図３の線５−５に沿った断面図。
【図６】図３の線６−６に沿った断面図。
【図７】図６の実施例に類似した別の実施例を示す断面図。
【図８】本発明に従って設計された別の実施例のコネクタ装置の正面図。
【図９】接続部の特徴部を概略的に示している図８の実施例の側面図。
【図１０】本発明に従って設計された更なる実施例のコネクタ装置の正面図。
【図１１】図１０の実施例の側面図。
【図１】
2007529393.tif 000003
【図２】
2007529393.tif 000004
【図３】
2007529393.tif 000005
【図４】
2007529393.tif 000006
【図５】
2007529393.tif 000007
【図６】
2007529393.tif 000008
【図７】
2007529393.tif 000009
【図８】
2007529393.tif 000010
【図９】
2007529393.tif 000011
【図１０】
2007529393.tif 000012
【図１１】
2007529393.tif 000013
【国際調査報告】
2007529393.tif 000014